【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
ユーザによって指定された対象領域内の位置又は領域に基づいて設定される前記対象画像内の注目位置又は注目領域の色情報を取得する色情報取得手段と、
色を想起させる物が撮影又は描画された画像を当該色に関する色情報に関連付けて記憶する画像記憶手段に記憶される複数の画像のうちから、前記色情報取得手段によって取得された色情報と同一又は類似の色情報が関連付けられた画像を取得する画像取得手段と、
前記画像取得手段によって取得された画像を前記ユーザに提示する提示手段と、
を含むことを特徴とする画像処理システム。
【請求項２】
請求項１に記載の画像処理システムにおいて、
前記提示手段は、前記画像取得手段によって取得された画像に関連付けられた色情報と、前記色情報取得手段によって取得された色情報と、の類似度に関する類似度情報を前記ユーザに提示する、
ことを特徴とする画像処理システム。
【請求項３】
請求項１又は２に記載の画像処理システムにおいて、
前記提示手段は、前記画像取得手段によって取得された画像に関する情報を前記ユーザに提示する、
ことを特徴とする画像処理システム。
【請求項４】
請求項３に記載の画像処理システムにおいて、
前記画像記憶手段には、前記ユーザによって過去に撮影又は選択された画像が記憶されており、
前記画像記憶手段は、前記画像に関連付けて、当該画像に撮影又は描画された物を表すテキスト情報を記憶し、
前記提示手段は、前記画像取得手段によって取得された画像に関連付けられた前記テキスト情報を前記ユーザに提示する、
ことを特徴とする画像処理システム。
【請求項５】
対象画像内の注目位置又は注目領域の色情報を取得する色情報取得手段と、
色情報の模範組合せに関する模範組合せデータに基づいて、１又は複数の画像を記憶する画像記憶手段に記憶される画像が有する色情報と、前記色情報取得手段によって取得された色情報と、の組合せが前記模範組合せであるか否かを判定する判定手段と、
前記画像記憶手段に記憶される画像が有する色情報と、前記色情報取得手段によって取得された色情報と、の組合せが前記模範組合せであると判定された場合に前記ユーザに通知する通知手段と、
を含むことを特徴とする画像処理システム。
【請求項６】
請求項５に記載の画像処理システムにおいて、
前記通知手段は、前記画像記憶手段に記憶される画像が有する色情報と、前記色情報取得手段によって取得された色情報と、の組合せが前記模範組合せであると判定された場合に、該画像と該画像に関する情報との少なくとも一方を前記ユーザに提示することを特徴とする画像処理システム。
【請求項７】
請求項５に記載の画像処理システムにおいて、
前記ユーザの選択操作に従って、前記画像記憶手段に記憶される複数の画像のうちのいずれかを基準画像として設定する手段をさらに含み、
前記判定手段は、前記基準画像が有する色情報と、前記色情報取得手段によって取得された色情報と、の組合せが前記模範組合せであるか否かを判定し、
前記通知手段は、前記基準画像が有する色情報と、前記色情報取得手段によって取得された色情報と、の組合せが前記模範組合せであると判定された場合に前記ユーザに通知する、
ことを特徴とする画像処理システム。
【請求項８】
撮影手段によって撮影された撮影画像内の注目位置又は注目領域の色情報を取得する色情報取得手段と、
画像記憶手段に記憶される複数の画像のうちからユーザの選択操作に従って設定された
基準画像が有する色情報と、前記色情報取得手段によって取得された色情報と、の類似度に関する類似度情報を取得する類似度情報取得手段と、
前記類似度情報に基づく通知をユーザに対して実行する通知手段と、
を含み、
前記通知手段は、
前記類似度が基準類似度よりも高い場合に前記ユーザに通知する手段と、
前記類似度情報を前記ユーザに通知する手段と、の少なくとも一方を含む、
ことを特徴とする画像処理システム。
【請求項９】
請求項８に記載の画像処理システムにおいて、
時間経過に伴って色が変化する被写体を前記撮影手段によって撮影してなる前記撮影画像を時間経過に伴って繰り返し取得する手段と、
前記撮影画像内の、前記被写体が写っている領域内の位置又は領域を前記注目位置又は前記注目領域として設定する手段と、
をさらに含むことを特徴とする画像処理システム。
【請求項１０】
請求項１乃至７のいずれかに記載の画像処理システムにおいて、
前記対象画像内の、前記注目位置又は前記注目領域を含む連続領域であって、かつ、前記注目位置又は前記注目領域の色情報と同一又は類似の色情報を有する領域を前記ユーザに提示する手段をさらに含むことを特徴とする画像処理システム。
【請求項１１】
請求項１乃至１０のいずれかに記載の画像処理システムにおいて、
前記色情報取得手段によって取得された色情報が複数の色グループ情報のうちのいずれに属するかを判定する手段と、
前記色情報取得手段によって取得された色情報が属する色グループ情報を前記ユーザに提示する手段と、
をさらに含むことを特徴とする画像処理システム。
【請求項１２】
請求項５乃至７のいずれかに記載の画像処理システムにおいて、
前記対象画像内の、前記ユーザによって指定された位置又は領域に基づいて前記注目位置又は前記注目領域として設定する手段をさらに含むことを特徴とする画像処理システム。
【請求項１３】
ユーザによって指定された対象領域内の位置又は領域に基づいて設定される前記対象画像内の注目位置又は注目領域の色情報を取得する色情報取得ステップと、
色を想起させる物が撮影又は描画された画像を当該色に関する色情報に関連付けて記憶する画像記憶手段に記憶される複数の画像のうちから、前記色情報取得ステップによって取得された色情報と同一又は類似の色情報が関連付けられた画像を取得する画像取得ステップと、
前記画像取得ステップによって取得された画像を前記ユーザに提示する提示ステップと、
を含むことを特徴とする画像処理方法。
【請求項１４】
ユーザによって指定された対象領域内の位置又は領域に基づいて設定される前記対象画像内の注目位置又は注目領域の色情報を取得する色情報取得手段、
色を想起させる物が撮影又は描画された画像を当該色に関する色情報に関連付けて記憶する画像記憶手段に記憶される複数の画像のうちから、前記色情報取得手段によって取得された色情報と同一又は類似の色情報が関連付けられた画像を取得する画像取得手段、及び、
前記画像取得手段によって取得された画像を前記ユーザに提示する提示手段、
としてコンピュータを機能させるためのプログラム。
【請求項１５】
対象画像内の注目位置又は注目領域の色情報を取得する色情報取得ステップと、
色情報の模範組合せに関する模範組合せデータに基づいて、１又は複数の画像を記憶する画像記憶手段に記憶される画像が有する色情報と、前記色情報取得ステップによって取得された色情報と、の組合せが前記模範組合せであるか否かを判定する判定ステップと、
前記画像記憶手段に記憶される画像が有する色情報と、前記色情報取得ステップによって取得された色情報と、の組合せが前記模範組合せであると判定された場合に前記ユーザに通知する通知ステップと、
を含むことを特徴とする画像処理方法。
【請求項１６】
対象画像内の注目位置又は注目領域の色情報を取得する色情報取得手段、
色情報の模範組合せに関する模範組合せデータに基づいて、１又は複数の画像を記憶する画像記憶手段に記憶される画像が有する色情報と、前記色情報取得手段によって取得された色情報と、の組合せが前記模範組合せであるか否かを判定する判定手段、及び、
前記画像記憶手段に記憶される画像が有する色情報と、前記色情報取得手段によって取得された色情報と、の組合せが前記模範組合せであると判定された場合に前記ユーザに通知する通知手段、
としてコンピュータを機能させるためのプログラム。